(57)【特許請求の範囲】
【請求項１】
被検者の頭部又は顎部のいずれかを載置する部分を有し低Ｘ線吸収の非金属材料で形成される受け部と、該受け部を保持する部分を有するとともに前記被検者を載置する天板に取り付く部分を有し低Ｘ線吸収の非金属材料で形成されるホルダ部とを備え、
前記受け部の下面に凸型の円筒面が形成され、
前記ホルダ部の前記受け部を保持する部分は、前記ホルダ部の上面に前記受け部の凸型の円筒面と同じ曲率半径で形成された凹型の円筒面と、該凹型の円筒面の左右両側に略垂直に形成された壁をそれぞれ有し、さらに、該壁の外側に前記被検者の腕部を載置する部分としての腕置き台が形成されてなる被検者固定具において、
被検者の頭部又は顎部のいずれかを固定するための固定バンドと、
各前記壁と前記腕置き台との間に形成され、前記固定バンドが差し込まれる溝であって、前記固定バンドの幅の二本分以上の長さで形成される溝と、をさらに備えることを特徴とする被検者固定具。
【請求項２】
請求項１に記載の被検者固定具において、
前記壁には前記固定バンドを任意の角度で固定するための面ファスナーが取り付けられていることを特徴とする被検者固定具。
【請求項３】
請求項１に記載の被検者固定具において、
前記ホルダ部の下面側であって前記凹型の円筒面の裏側に、凸型の下側円筒面が形成されているとともに、該下側円筒面側に対して前記各溝がそれぞれ開口形成されていることを特徴とする被検者固定具。
【発明の詳細な説明】
【技術分野】
【０００１】
本発明は、被検者の頭部、顎部の固定を行う被検者固定具と、この被検者固定具を備えるＸ線ＣＴ装置とに関する。
【背景技術】
【０００２】
例えば、下記特許文献１に開示されたＸ線ＣＴ装置は、被検者を載置する天板に着脱自在であるとともに、被検者の頭部、顎部の傾斜角度を無段階に調整することが可能な被検者固定具を備えている。この被検者固定具は、天板に着脱自在なホルダ部と、ホルダ部に保持される受け部とからなり、受け部は、被検者の頭部を載置する場合に頭受け部が、顎部を載置する場合には顎受け部が用いられるようになっている。ホルダ部は、受け部を保持する部分の外側に被検者の腕部を載置するための腕置き台を有している。また、受け部の下面とホルダ部の上面は、円筒面同士で接触しあう構造になっている。
【０００３】
この構造によって、受け部の傾斜角度は最適な角度に変えることができるようになっている。被検者固定具は、受け部の傾斜角度を最適に保つため、ウレタンを素材に用いて受け部の滑り止めを可能にしている。被検者固定具は、ウレタンを素材に用いて形成することで、金属を含まず、メタルアーチファクトの発生をなくすような配慮がなされている。
【特許文献１】特開２００２−２９１７３１号公報
【発明の開示】
【発明が解決しようとする課題】
【０００４】
受け部には、頭部や顎部の形状に合わせて載置する部分が形成されている。しかしながら、被検者自身が動いてしまえば頭部や顎部の位置がずれてしまい、モーション・アーチファクトが生じてしまうことになる。そこで、固定用のバンドを用いて頭部や顎部を固定することを考えてみたが、ホルダ部は受け部を保持する部分の外側に被検者の腕部を載置する腕置き台を有しており、この構造からバンドを大きく巻き付けなければならず、頭部等をバンドで確実に固定することは困難であるという問題点を有している。
【０００５】
また、受け部の傾斜角度を最適な角度に変えることができる構造を有することから、あらゆる傾斜角度に合わせてバンドを取り付ける必要性があるがこれはままならず、従って上記同様に、頭部等をバンドで確実に固定することが困難であるという問題点を有している。
【０００６】
本発明は、上述した事情に鑑みてなされたもので、頭部等がいかなる位置・角度にあっても確実に固定されてモーション・アーチファクトの発生を抑えることが可能な被検者固定具と、この被検者固定具を備えたＸ線ＣＴ装置とを提供することを課題とする。
【課題を解決するための手段】
【０００７】
上記課題を解決するためになされた本発明の被検者固定具は、被検者の頭部又は顎部のいずれかを載置する部分を有し低Ｘ線吸収の非金属材料で形成される受け部と、該受け部を保持する部分を有するとともに前記被検者を載置する天板に取り付く部分を有し低Ｘ線吸収の非金属材料で形成されるホルダ部とを備え、前記受け部の下面に凸型の円筒面が形成され、前記ホルダ部の前記受け部を保持する部分は、前記ホルダ部の上面に前記受け部の凸型の円筒面と同じ曲率半径で形成された凹型の円筒面と、該凹型の円筒面の左右両側に略垂直に形成された壁をそれぞれ有し、さらに、該壁の外側に前記被検者の腕部を載置する部分としての腕置き台が形成されてなる被検者固定具において、固定バンドを更に備えるとともに、各前記壁と前記腕置き台との間に前記固定バンドの幅よりも長く且つ該固定バンドを差し込んで前記被検者を押さえ付けるための溝を形成することを特徴としている。
【０００８】
このような特徴を有する本発明によれば、固定バンドを大きく巻かずに頭部等を固定することが可能な溝を有する。この溝の長さは長く、溝の長さの範囲で固定バンドの差し込み向きを変えることが可能になる。すなわち、頭部等のあらゆる傾斜角度に合わせて固定バンドの取り付けが可能になる。
【発明の効果】
【００１３】
本発明の被検者固定具は、被検者を載置する天板に着脱自在であり、被検者の頭部、顎部の傾斜角度を無段階に調整することができ、さらには、被検者の頭部、顎部、腕部を楽な姿勢で、素早く、安定に固定することができる。被検者の頭部等の固定に関しては、いかなる位置・角度にあっても確実に固定をしてモーション・アーチファクトの発生を抑えることができる。
【発明を実施するための最良の形態】
【００１４】
以下、本発明の一実施形態を図面を参照しながら説明する。図１は本発明の被検者固定具及びＸ線ＣＴ装置の一実施の形態を示す斜視図である。
【００１５】
図１において、Ｘ線ＣＴ装置１は、Ｘ線ＣＴ装置本体２と、被検者を載せる天板３と、この天板３の先端に着脱自在に取り付けられる被検者固定具４とを備えて構成されている。Ｘ線ＣＴ装置本体２と天板３は、公知のものが用いられている。被検者固定具４は、天板３上の被検者の頭部等がいかなる位置・角度にあっても確実に固定されてモーション・アーチファクトの発生を抑えることができるような構成及び構造になっている。
【００１６】
以下、図２ないし図１３を参照しながら、被検者固定具４に関して説明をする。図２は被検者固定具の頭受け部を使用する場合を示す斜視図である。また、図３は被検者固定具の顎受け部を使用する場合を示す斜視図、図４は被検者固定具の腕置き台を使用する場合を示す斜視図である。さらに、図５及び図６は頭受け部の図、図７及び図８は顎受け部の図、図９及び図１０はホルダ部の図、図１１は被検者固定具の頭受け部の角度を変化させる様子を示す図、図１２は被検者固定具使用の際の断面図、図１３は被検者固定具使用（他の例）の際の断面図である。
【００１７】
図２において、被検者５が天板３上で仰向けになる場合の被検者固定具４は、被検者５の頭部を載置する頭受け部６と、この頭受け部６を保持するとともに天板３の先端に着脱自在（一例であるものとする）となるホルダ部７と、被検者５の頭部及び顎部を固定するための頭部固定バンド８及び顎部固定バンド９とを備えて構成されている。被検者固定具４は、頭受け部６とホルダ部７とが低Ｘ線吸収のウレタンフォームやアクリルフォームなどの非金属材料を用いて形成されている。また、頭部固定バンド８と顎部固定バンド９も低Ｘ線吸収となる素材で形成されている。被検者固定具４は、被検者５の頭部に近い位置で頭部固定バンド８と顎部固定バンド９とを固定し、これら頭部固定バンド８と顎部固定バンド９とを頭部や顎部に十分に密着させることができるようになっている。各構成部材の具体的な説明は後述する。
【００１８】
図３において、被検者５が天板３上でうつ伏せになる場合の被検者固定具４は、被検者５の顎部を載置する顎受け部１０と、この顎受け部１０を保持するとともに天板３の先端に着脱自在（一例であるものとする）となるホルダ部７と、被検者５の頭部を固定するための頭部固定バンド８を備えて構成されている。被検者固定具４は、顎受け部１０とホルダ部７とが低Ｘ線吸収のウレタンフォームやアクリルフォームなどの非金属材料を用いて形成されている。また、頭部固定バンド８も低Ｘ線吸収となる素材で形成されている。被検者固定具４は、被検者５の頭部に近い位置で頭部固定バンド８を固定し、この頭部固定バンド８を頭部に十分に密着させることができるようになっている。各構成部材の具体的な説明は後述する。
【００１９】
図４において、被検者５が天板３上で仰向けになり体幹部を撮影する場合の被検者固定具４は、被検者５の頭部を載置する頭受け部６と、この頭受け部６を保持するとともに天板３の先端に着脱自在（一例であるものとする）となるホルダ部７と、被検者５の腕部を固定するための腕部固定バンド１１、１１とを備えて構成されている。頭受け部６とホルダ部７は、図２の被検者固定具４のものと同じものである。被検者固定具４は、ホルダ部７に被検者５の腕部を固定した状態で撮影を行うことができるようになっている。
【００２０】
図５及び図６において、頭受け部６は、所望の厚みを有する平面視矩形状に形成されている。頭受け部６は、この上面に被検者５の頭部（図２参照）を載せるための凹み部分１２が形成されている。凹み部分１２は、被検者５の頭部（後頭部）をホールドすることができるような形状に形成されている。頭受け部６は、この下面が凸型の円筒面１３となるように形成されている。凸型の円筒面１３は、被検者５の頭部の傾斜角度を無段階に調整するための一部分として形成されている。凸型の円筒面１３は、図１１の中心軸１４を中心にして左右方向の端部が円弧となる円筒面形状に形成されている。頭受け部６は、この左右両側面が略垂直な面となる垂直面１５を有している。頭受け部６の前後の側面は、凹み部分１２の形状に合わせて形成されている。
【００２１】
図７及び図８において、顎受け部１０は、所望の厚みを有する略ブロック形状に形成されている。顎受け部１０は、この上面に被検者５の顎部（図３参照）を載せるための凹み部分１６が形成されている。凹み部分１６は、被検者５の顎部をホールドすることができるような形状に形成されている。顎受け部１０は、この下面が凸型の円筒面１７となるように形成されている。凸型の円筒面１７は、被検者５の顎部の傾斜角度を無段階に調整するための一部分として形成されている。凸型の円筒面１７は、図１１の中心軸１４を中心にして左右方向の端部が円弧となる円筒面形状に形成されている。顎受け部１０は、この左右両側面が略垂直な面となる垂直面１８を有している。顎受け部１０の前後の側面は、凹み部分１６の形状に合わせて形成されている。
【００２２】
図９及び図１０において、ホルダ部７は、この上面側に頭受け部６又は顎受け部１０を保持するための部分、すなわち受け部保持部分を有している。この受け部保持部分は、凹型の円筒面１９となるように形成されている。凹型の円筒面１９は、被検者５の頭部や顎部の傾斜角度を無段階に調整するための一部分として形成されている。凹型の円筒面１９は、図１１の中心軸１４を中心にして左右方向の端部が円弧となる円筒面形状に形成されている。凹型の円筒面１９は、頭受け部６の凸型の円筒面１３や顎受け部１０の凸型の円筒面１７と同じ曲率半径で形成されている。
【００２３】
凹型の円筒面１９の左右両側には、垂直面２０、２０を有する略垂直な壁２１、２１が形成されている。略垂直な壁２１、２１は、凹型の円筒面１９の上記円弧状の端部から上方へ突出するように形成されている。略垂直な壁２１、２１は、頭受け部６又は顎受け部１０の左右方向のズレを防止するために形成されている。略垂直な壁２１、２１は、ホルダ部７の上面側に形成されている。
【００２４】
凹型の円筒面１９よりも高い位置には、中央の窪み部分２２が形成されている。中央の窪み部分２２は、凹型の円筒面１９に連続するように形成されている。中央の窪み部分２２は、平面視略半円形状（略台形形状）に形成されている。中央の窪み部分２２の側面には、面ファスナー２３、２３（一方のみ図示）が取り付けられている。面ファスナー２３、２３は、図４に示す如く、腕部固定バンド１１、１１を用いて被検者５の腕部を固定する際に使用されるようになっている。中央の窪み部分２２は、ホルダ部７の上面側に形成されている。
【００２５】
ホルダ部７の上面側には、凹型の円筒面１９、略垂直な壁２１、２１、中央の窪み部分２２を囲むような腕置き台２４が形成されている。腕置き台２４は、凹型の円筒面１９の曲率に合わせて湾曲する部分と、中央の窪み部分２２を囲んで高い位置となる平坦な部分とを有して構成されている。腕置き台２４は、図４に示す如く、被検者５の腕部を固定する際に腕部を置く部分として形成されている。腕置き台２４における上記の湾曲する部分は、本形態において、横から見て頭部及び顎部と重ならないようにするため、凹型の円筒面１９と同じ中心軸１４（図１１参照）に対して円筒面形状に形成されている。腕置き台２４における上記の平坦な部分には、突起部２５、２５が形成されている。突起部２５、２５は、被検者５の腕部がホルダ部７から脱落しないようにするために形成されている。突起部２５、２５は、ホルダ部７の隅部分に近い位置に突出形成されている。
【００２６】
略垂直な壁２１、２１と腕置き台２４における上記の湾曲する部分との間には、深い溝２６、２６が形成されている。この深い溝２６、２６は、略垂直な壁２１、２１のすぐ外側に形成されている。深い溝２６、２６は、頭部固定バンド８や顎部固定バンド９を差し込んでこれらを固定するための部分として形成されている（図２及び図３参照）。深い溝２６、２６は、本形態において、略垂直な壁２１、２１の垂直面２０、２０に対して平行な平行面２７、２７（図１２参照）を有している。深い溝２６、２６は、略垂直な壁２１、２１の形成範囲に合わせて長く形成されている。深い溝２６、２６は、本形態において、固定バンド二本分以上の長さで形成されている。平行面２７、２７には、頭部固定バンド８や顎部固定バンド９を固定するための面ファスナー２８、２８が取り付けられている（特に図示しないが頭部固定バンド８や顎部固定バンド９にも対応する面ファスナーが取り付けられている）。
【００２７】
深い溝２６、２６は本発明の特徴となる部分であり、深い溝２６、２６を形成することで、頭部固定バンド８や顎部固定バンド９を頭部等のあらゆる傾斜角度に合わせて取り付けることができるようになっている。深い溝２６、２６は、指先が入るような溝幅を有しており、上面側の開口縁部にはテーパ２９、２９が形成されている。
【００２８】
ホルダ部７の下面側には、凸型の下側円筒面３０が形成されている。この凸型の下側円筒面３０は、凹型の円筒面１９の丁度裏側に配置形成されている。凸型の下側円筒面３０は、図１１の中心軸１４を中心にして形成されている。凸型の下側円筒面３０の左右両側には、深い溝２６、２６が開口形成されている。凸型の下側円筒面３０は、図１３に示す如く、頭部固定バンド８や顎部固定バンド９をホルダ部７の下面側まで巻く場合に使用されるようになっている（凸型の下側円筒面３０のような部分を有することにより、頭部固定バンド８や顎部固定バンド９を頭部等のあらゆる傾斜角度に合わせて取り付けることができるようになる。尚、図１３の頭部固定バンド８や顎部固定バンド９は、一端に面ファスナー、他端にこれに対応する面ファスナーが取り付けられているものとする）。
【００２９】
ホルダ部７の下面側には、凸型の下側円筒面３０の他に天板３に対する着脱部３１、３１が形成されている。着脱部３１、３１は、天板３の先端部の両側面に差し込んで天板３に対する固定をすることができるような形状に形成されている。ホルダ部７は、着脱部３１、３１の形成により天板３に対してスライドするようにもなっている。
【００３０】
ホルダ部７の側面には、面ファスナー３２、３２が取り付けられている。面ファスナー３２、３２は、図４に示す如く、腕部固定バンド１１、１１を用いて被検者５の腕部を固定する際に使用されるようになっている。面ファスナー３２、３２は、腕置き台２４の突起部２５、２５の裏側の位置に取り付けられている。尚、ここまでの説明で幾つかの面ファスナーを挙げたが、固定バンドを固定する他の手段があればこれを用いてもよいものとする。但し、Ｘ線による撮影の際に写り込まないような素材で形成することが好ましいものとする。
【００３１】
図１１において、頭受け部６の下面に形成される凸型の円筒面１３とホルダ部７の上面側に形成される凹型の円筒面１９とを合わせると、凹型の円筒面１９の左右両側の垂直面２０、２０によって頭受け部６の左右方向の動きが規制され、頭受け部６はホルダ部７の凹型の円筒面１９の中心軸１４まわりに円弧状にスライド自在となる。ホルダ部７に対する頭受け部６の角度を変化させることができることになる。
【００３２】
また、特に図示しないが、顎受け部１０も上記と同様に角度を変化させることができることになる。すなわち、顎受け部１０の下面に形成される凸型の円筒面１７とホルダ部７の上面側に形成される凹型の円筒面１９とを合わせると、凹型の円筒面１９の左右両側の垂直面２０、２０によって顎受け部１０の左右方向の動きが規制され、顎受け部１０はホルダ部７の凹型の円筒面１９の中心軸１４まわりに円弧状にスライド自在となる。ホルダ部７に対する顎受け部１０の角度を変化させることができることになる。
【００３３】
次に、上記構成に基づきながら被検者固定具４の使用例を説明する。
【００３４】
図２及び図１２において、頭部固定バンド８及び顎部固定バンド９を仰向け状態の被検者５の頭部及び顎部に巻き付け、この頭部固定バンド８及び顎部固定バンド９をホルダ部７の深い溝２６、２６に取り付けた面ファスナー２８、２８にて固定する。この時、頭部固定バンド８及び顎部固定バンド９を深い溝２６、２６に差し込むような格好で固定する。頭部固定バンド８及び顎部固定バンド９は、面ファスナー２８、２８に対して任意の位置、角度で固定することができ、且つ、被検者５の頭部に近い位置で固定することができる。従って、頭部固定バンド８及び顎部固定バンド９は、被検者５の頭部及び顎部に十分に密着して確実に頭部を固定することができる。
【００３５】
図３及び図１３において、頭部固定バンド８をうつ伏せ状態の被検者５の頭部に巻き付け、この頭部固定バンド８を固定する。具体的には、頭部固定バンド８の一端側をホルダ部７の一方の深い溝２６に差し込み、ホルダ部７の下面側になる凸型の下側円筒面３０に添わせ、そして、他方の深い溝２６から引き出して頭部固定バンド８の他端側に重ね合わせて固定する（深い溝２６、２６の面ファスナー２８、２８にて固定しても良い）。本形態において、頭部固定バンド８は、各端部に取り付けた面ファスナーにより固定される。頭部固定バンド８は、ホルダ部７の深い溝２６、２６及び凸型の下側円筒面３０によって任意の位置、角度で固定することができ、且つ、被検者５の頭部に近い位置で固定することができる。従って、頭部固定バンド８は、被検者５の頭部に十分に密着して確実に頭部を固定することができる。
【００３６】
以上、図１ないし図１３を参照しながら説明してきたように、本発明によれば、いかなる位置・角度にあっても確実に被検者５の頭部を固定してモーション・アーチファクトの発生を抑えることができるという効果を奏する。
【００３７】
本発明の被検者固定具４は、被検者５を載置する天板３に着脱自在であり、被検者５の頭部、顎部の傾斜角度を無段階に調整することができ、さらには、被検者５の頭部、顎部、腕部を楽な姿勢で、素早く、安定に固定することができるという効果を奏する。
【００３８】
その他、本発明は本発明の主旨を変えない範囲で種々変更実施可能なことは勿論である。
【図面の簡単な説明】
【００３９】
【図１】本発明の被検者固定具及びＸ線ＣＴ装置の一実施の形態を示す斜視図である。
【図２】被検者固定具の頭受け部を使用する場合を示す斜視図である。
【図３】被検者固定具の顎受け部を使用する場合を示す斜視図である。
【図４】被検者固定具の腕置き台を使用する場合を示す斜視図である。
【図５】頭受け部の図であり、（ａ）は正面図、（ｂ）は平面図、（ｃ）は右側面図、（ｄ）は（ａ）のＡ−Ａ線断面図である。
【図６】頭受け部の図であり、（ａ）は上面側を見た斜視図、（ｂ）は下面側を見た斜視図である。
【図７】顎受け部の図であり、（ａ）は正面図、（ｂ）は平面図、（ｃ）は右側面図、（ｄ）は（ａ）のＡ−Ａ線断面図である。
【図８】顎受け部の図であり、（ａ）は上面側を見た斜視図、（ｂ）は下面側を見た斜視図である。
【図９】ホルダ部の図であり、（ａ）は正面図、（ｂ）は平面図、（ｃ）は右側面図、（ｄ）は（ａ）のＡ−Ａ線断面図である。
【図１０】ホルダ部の図であり、（ａ）は上面側を見た斜視図、（ｂ）は下面側を見た斜視図である。
【図１１】被検者固定具の頭受け部の角度を変化させる様子を示す図である。
【図１２】被検者固定具使用の際の断面図である。
【図１３】被検者固定具使用（他の例）の際の断面図である。
【符号の説明】
【００４０】
１  Ｘ線ＣＴ装置
２  Ｘ線ＣＴ装置本体
３  天板
４  被検者固定具
５  被検者
６  頭受け部（受け部）
７  ホルダ部
８  頭部固定バンド（固定バンド）
９  顎部固定バンド（固定バンド）
１０  顎受け部（受け部）
１１  腕部固定バンド
１２  凹み部分
１３  凸型の円筒面
１４  中心軸
１５  垂直面
１６  凹み部分
１７  凸型の円筒面
１８  垂直面
１９  凹型の円筒面
２０  垂直面
２１  略垂直な壁
２２  中央の窪み部分
２３  面ファスナー
２４  腕置き台
２５  突起部
２６  深い溝
２７  平行面
２８  面ファスナー
２９  テーパ
３０  凸型の下側円筒面
３１  着脱部
３２  面ファスナー
【図１】
0005047705.tif 000002
【図２】
0005047705.tif 000003
【図３】
0005047705.tif 000004
【図４】
0005047705.tif 000005
【図５】
0005047705.tif 000006
【図６】
0005047705.tif 000007
【図７】
0005047705.tif 000008
【図８】
0005047705.tif 000009
【図９】
0005047705.tif 000010
【図１０】
0005047705.tif 000011
【図１１】
0005047705.tif 000012
【図１２】
0005047705.tif 000013
【図１３】
0005047705.tif 000014